(57)【特許請求の範囲】
【請求項１】
扉本体における前面板の両側端部を平面視前向きコ字状に折曲し、その折曲端片の前端縁と前面板の後面との間に所要大きさの開口部を形成するとともに、扉本体の裏板の両側端に形成された前記折曲端片と対向する前向折曲片の一方に、前記前面板の一方の開口部内に挿脱自在に嵌合可能な突条片を連設し、かつ前記他方の前向折曲片の近傍に、裏板の後方より操作可能で扉本体内に収納した係止片を、前向折曲片より突出して前記他方の開口部内に挿入する係合位置から、前向折曲片の内方に後退する係合解除位置までの間を左右方向に移動可能に設けたことを特徴とするキャビネットの扉構造。
【請求項２】
係止片に設けた雌ねじ孔に、裏板の後方よりボルトを螺合することにより、係止片を係合位置に保持し得るようにした請求項１に記載のキャビネットの扉構造。
【発明の詳細な説明】
【０００１】
【発明の属する技術分野】
本発明は、キャビネットの扉構造に係り、特に、扉の裏板の着脱を容易とした扉構造に関する。
【０００２】
【従来の技術】
扉本体の前面板と裏板との間に、例えば電気式の施錠装置等、メンテナンスが必要な部品を組付けてなるキャビネットにおいては、裏板は取外し可能に取付けられている。
【０００３】
従来は、扉本体の一側部の折曲部に、裏板の一方の側端部を嵌合し、その他方の側端部は、扉本体に固着した補強部材に、複数のねじにより着脱可能に取付けているのが一般的である。
【０００４】
【発明が解決しようとする課題】
上述した従来の構造では、扉本体に補強部材を溶接する必要があるため、それに要する工数が増えてコスト高となる。
【０００５】
また、メンテナンス等の際、その都度ねじを取外したり、螺挿したりして裏板を着脱する必要があり、その作業が面倒である。
【０００６】
本発明は、上記問題点を解決するためになされたもので、裏板を簡単な操作で取外すことができ、メンテナンス等を容易に行うことができるようにしたキャビネットの扉構造を提供することを目的としている。
【０００７】
【課題を解決するための手段】
上記目的を達成するために、本発明のキャビネットの扉構造は、扉本体における前面板の両側端部を平面視前向きコ字状に折曲し、その折曲端片の前端縁と前面板の後面との間に所要大きさの開口部を形成するとともに、扉本体の裏板の両側端に形成された前記折曲端片と対向する前向折曲片の一方に、前記前面板の一方の開口部内に挿脱自在に嵌合可能な突条片を連設し、かつ前記他方の前向折曲片の近傍に、裏板の後方より操作可能で扉本体内に収納した係止片を、前向折曲片より突出して前記他方の開口部内に挿入する係合位置から、前向折曲片の内方に後退する係合解除位置までの間を左右方向に移動可能に設けたことを特徴としている。
上記構成の本発明によると、係止片を単に解除位置まで移動するだけで、前面板より裏板を取外すことができるため、メンテナンス等が際めて容易となる。
【０００８】
上記装置において、係止片に設けた雌ねじ孔に、裏板の後方よりボルトを螺合することにより、係止片を係合位置に保持し得るようにするのが好ましい。
このようにすると、ボルトを締め付けるだけの簡単な操作で係止片を係合位置に保持することができ、かつメンテナンス時等以外は、裏板を確実に前面板に取付けておくことができる。
【０００９】
【発明の実施の形態】
以下、本発明の実施形態を図面に基づいて説明すると、まず図１には本発明が適用されるロッカー１の複数列設された状態が示されており、２は該ロッカー１の前面に開閉可能に枢着された扉、３は該扉２を前面に開口するために設けられた引手孔である。
【００１０】
前記扉２は特に図３に示されているように、肉薄の板材で形成された前面板１７と裏板１８とが後述する本発明の扉構造を適用して組み合わされ、中空状に形成されている。
【００１１】
この中空部内１３の開放端側には、上下端にロッカー１の本体所定箇所に設けられた係合部と係合し得るラッチ爪４，４’を有するラッチ棒５，５’が上下１対に配設されているとともに、前記引手孔３近傍には、電子ロック装置６が配設されている。
【００１２】
この電子ロック装置６には、鍵孔７を扉２の前面の引手孔３下方位置に開口したシリンダ錠８及び電子ソレノイド９を制御する電子制御部１０が内設されている。そして個々のロッカー１に設けられた電子制御部１０は全てロッカー１外部適所に設けられる１つのスイッチ部１４に連結されている。
【００１３】
図２には、前述の電子ロック装置６とラッチ爪４，４’を有するラッチ棒５，５’が設けられている前面板１７の後面２４に、長手方向左側端部の上下端部近傍に左右方向に穿設された止めネジ孔１２を有する裏板１８が、図３、図４、図５に示されている扉構造を適用して組み合わされている。
【００１４】
前記前面板１７の構造は、両端を平面視前向きコ字状に折曲し、その折曲端片２０の前端縁と後面２４との間に、開口部２１が形成され、一方前記裏板１８の構造は、その両端を前記前面板１７両端の折曲端片２０の内向側にほぼ当接するように前向折曲片２６が形成されている。
【００１５】
この前向折曲片２６の一方には、前記開口部２１内に挿脱自在に嵌合可能な突状片２５が連接されており、他方前向折曲片２６には、挿通孔２８が形成されており、この挿通孔２８は、左右方向に摺動可能に設けられた止めネジ３１を介して前記中空部内１３を左右方向に移動する係止片２３の先端が前記開口部２１内に出し入れ可能になっている。
【００１６】
この挿通孔２８を介して前記開口部２１内へ進入、後退する前記係止片２３は、図２で示されているように、前述の止めネジ孔１２の下方に設けられており、特に図４、図５で示されているように、前記止めネジ孔１２に挿通された止めネジ３１が係止片２３に設けられた止めネジ挿通孔３３を貫通し、止めネジナット３２に螺合することによって、裏板１８と止めネジナット３２に挟持され、裏板１８からの脱落が防止されるとともに、前記係止片２３の先端と前記折曲端片２０が係合する係合位置に保持できるようになっている。
【００１７】
また、前記止めネジ孔１２の形状は、前記係止片２３の先端が開口部２１内に進入する係合位置（図４参照）から前向折曲片２６の内方に後退する係合解除位置（図５参照）までの間を、前記止めネジ３１が左右方向に摺動可能になるように形成されている。
【００１８】
なお、前記係止片２３の形状は、図６、図７に示されており、前記係止片２３の一部をなす、前向折曲片２６に対向し、裏板１８に摺接移動する係止片摺動部３７は、係止片２３が係合解除位置（図４参照）に後退したときに係止片２３が自重の影響で回転しても、係止片摺動部３７の一部が前向折曲片２６に当接できるように形成されている。
【００１９】
このように構成された本発明の実施の形態としての前面板１７と裏板１８との取付を図３〜図７に基づいて説明する。
【００２０】
まず、裏板１８の一方端部に近傍に形成された係止片２３の先端を図４に示されているように前向折曲片２６の内方に後退する係合解除位置にセットし、他方端部に形成された突状片２５を前面板１７の一方端部に形成されている開口部２１内に回転させながら挿入することで、前面板１７の折曲端片２０の前端縁と裏板１８の突状片２５とを容易に嵌合することができる。
【００２１】
次に、前記係止片２３が形成されている裏板１８端部の前向折曲片２６を、前面板１７の他方端部の後面２４に当接した後、前記止めネジ３１を図５に示されているように止めネジ孔１２の端部近傍方向に摺動させる。
【００２２】
こうすることで、前記止めネジ３１の下方に形成されている係止片２３の先端が、前向折曲片２６に形成された挿通孔２８に挿通され、折曲端片２０と後面２４との間に形成された開口部２１内へ進入されるとともに、前面板１７の折曲端片２０の前端縁に係合される。さらに、前記止めネジ３１を締め付けると、係止片２３は係合位置に保持することができる。さらに、前記止めネジ３１を緩めるまでは、前面板１７と裏板１８とを確実に取付けておくことができる。
【００２３】
また、中空部内１３の電子ロック装置６のメンテナンス等を行う場合は、裏板１８の前記止めネジ３１を緩めて前記止めネジ孔１２の反対端まで移動する。これによって、係止片２３の先端は係合解除位置まで移動し、係合は解除されるため、一方端部の前向折曲片２６を前面板１７から離脱できる。
【００２４】
さらに、裏板１８の他方端部を支点として回転すると、前面板１７の開口部２１内に嵌合している突状片２５を開口部２１内から離脱できるため、容易に前面板１７から裏板１８を取外すことができる。
【００２５】
つまり、前面板１７の一方折曲端片２０の前端縁と後面２４との間に開口部２１が形成されているため、裏板１８の前向折曲片２６の下方に形成されている突状片２５と開口部２１内との挿脱が容易にできる。
【００２６】
また、前面板１７の他方折曲端片２０の前端縁と後面２４との間に開口部２１が形成されているため、裏板１８の端部近傍に形成されている係止片２３が開口部２１内への進入、後退が容易にできる。
【００２７】
なお、裏板１８の一方端部の前向折曲片２６と他方端部の前向折曲片２６との幅は、前面板１７の一方折曲端片２０と他方折曲端片２０との内側幅にほぼ当接するように形成されているため、前面板１７と裏板１８とのがたつきが防止できる。
【００２８】
さらに、前面板１７のコ字状折曲片の最頂部より外方に裏板１８の前向折曲片２６の最頂部が形成されているため、前面板１７と裏板１８との取付け、取外し時に手掛かり部となり、容易な作業が確保される。
【００２９】
以上、本発明の実施例を図面により説明してきたが、具体的な構成はこれら実施例に限られるものではなく、本発明の要旨を逸脱しない範囲における変更や追加があっても本発明に含まれる。
【００３０】
【発明の効果】
本発明によれば、次のような効果が得られる。
【００３１】
（ａ）請求項１に記載の発明によれば、係止片を単に解除位置まで移動するだけで、前面板より裏板を取外すことができるため、メンテナンス等が際めて容易となる。
【００３２】
（ｂ）請求項２に記載の発明によれば、ボルトを締め付けるだけの簡単な操作で係止片を係合位置に保持することができ、かつメンテナンス時等以外は、裏板を確実に前面板に取付けておくことができる。
【図面の簡単な説明】
【図１】本発明の適用されたロッカーの斜視図である。
【図２】本発明の適用されたロッカーの前面板と裏板の正面図である。
【図３】本発明の適用されたロッカーの前面板と裏板の断面図である。
【図４】本発明の適用されたロッカーの前面板と裏板とに形成された係止部と嵌合部を示す断面図である。
【図５】本発明の適用されたロッカーの前面板と裏板とに形成された係止部と嵌合部を示す断面図である。
【図６】本発明の適用された係止片の係合解除位置を示す上面図である。
【図７】本発明の適用された係止片の係合過程と係合位置を示す上面図である。
【符号の説明】
１        ロッカー
２        扉
３        引手孔
４，４’ラッチ爪
５，５’ラッチ棒
６        電子ロック装置
７        鍵孔
８        シリンダ錠
９        電子ソレノイド
１０      電子制御部
１２      ネジ孔
１３      中空部内
１４      スイッチ部
１７      前面板
１８      裏板
２０      折曲端片
２１      開口部
２３      係止片
２４      後面
２５      突状片
２６      前向折曲片
２８      挿通孔
３１      止メネジ
３２      止メネジナット
３３      止メネジ挿通孔
３７      係止片摺動部
【図１】
0004245774.tif 000002
【図２】
0004245774.tif 000003
【図３】
0004245774.tif 000004
【図４】
0004245774.tif 000005
【図５】
0004245774.tif 000006
【図６】
0004245774.tif 000007
【図７】
0004245774.tif 000008